【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
分岐させた高熱流体を流動させる第１の流路及び第２の流路と、
前記第１の流路に設けられ、同第１の流路を流動する高熱流体と作動流体との間で熱交換を行って前記作動流体を過熱液とする作動流体加熱室と、
前記第２の流路に配設された発動機本体部と、を備え、
前記発動機本体部は、
前記第２の流路を流動する高熱流体の熱により加熱される伝熱面部に面したフラッシュ空間と、
前記第１の流路を流動する高熱流体により前記作動流体加熱室にて高圧かつ高温状態とした前記過熱液を噴出し、同過熱液の飽和圧力よりも低圧である前記フラッシュ空間内において過熱液の一部を蒸気化し膨張させてフラッシュワークを生起し前記発動機本体部を発動させると共に、蒸気化しない液滴状の残部の過熱液を前記伝熱面部に衝突させ熱交換機能により沸騰させボイリングワークにより膨張した蒸気として前記発動機本体部を発動させるインジェクタと、を有することを特徴とする蒸気機関。
【請求項２】
前記フラッシュ空間内に発生した湿り飽和蒸気は外部に排出するとともに、液化装置を通して液化した前記作動流体となし、
同液化された作動流体は、加圧ポンプにより前記作動流体加熱室の熱交換器を通して高圧かつ高温状態の前記過熱液となして、前記フラッシュ空間内に前記インジェクタを通して噴出させることを特徴とする請求項１に記載の蒸気機関。
【請求項３】
前記発動機本体部は、シリンダ内にピストンを摺動自在に配置し、ピストンにクランクシャフトを連動連結して、ピストンの往復摺動にクランクシャフトの回転動作を連動させたものであり、
前記第２の流路に前記シリンダを前記高熱流体の熱を受熱可能に配置するとともに、前記シリンダと同シリンダ内で往復摺動するピストンとを熱交換機能を有する前記伝熱面部とし、
前記シリンダと上死点近傍にある前記ピストンで閉塞される前記フラッシュ空間内に前記インジェクタを通して高圧かつ高温状態の前記過熱液を噴出することで前記フラッシュワークと前記ボイリングワークとを生起させて前記ピストンを発動させることを特徴とする請求項１又は請求項２に記載の蒸気機関。
【請求項４】
前記発動機本体部は、ローターハウジング内にローターを回動自在に配置し、ローターにエキセントリックシャフトを挿通して、ローターの回転運動にエキセントリックシャフトの回転動作を連動させたものであり、
前記第２の流路に前記ローターハウジングを前記高熱流体の熱を受熱可能に配置するとともに、前記ローターハウジングと同ローターハウジング内で回転運動するローターとを熱交換機能を有する前記伝熱面部とし、
前記ローターハウジングと前記ローターとで閉塞される前記フラッシュ空間内に前記インジェクタを通して高圧かつ高温状態の前記過熱液を噴出することで前記フラッシュワークと前記ボイリングワークとを生起させて前記ローターを発動させることを特徴とする請求項１又は請求項２に記載の蒸気機関。
【手続補正２】
【補正対象書類名】明細書
【補正対象項目名】０００９
【補正方法】変更
【補正の内容】
【０００９】
上記従来の課題を解決するために、本発明に係る蒸気機関では、分岐させた高熱流体を流動させる第１の流路及び第２の流路と、前記第１の流路に設けられ、同第１の流路を流動する高熱流体と作動流体との間で熱交換を行って前記作動流体を過熱液とする作動流体加熱室と、前記第２の流路に配設された発動機本体部と、を備え、前記発動機本体部は、前記第２の流路を流動する高熱流体の熱により加熱される伝熱面部に面したフラッシュ空間と、前記第１の流路を流動する高熱流体により前記作動流体加熱室にても低圧である前記フラッシュ空間内において過熱液の一部を蒸気化し膨張させてフラッシュワークを生起し前記発動機本体部を発動させると共に、蒸気化しない液滴状の残部の過熱液を前記伝熱面部に衝突させ熱交換機能により沸騰させボイリングワークにより膨張した蒸気として前記発動機本体部を発動させるインジェクタと、を有することとした。
【手続補正３】
【補正対象書類名】明細書
【補正対象項目名】００１０
【補正方法】変更
【補正の内容】
【００１０】
また、前記フラッシュ空間内に発生した湿り飽和蒸気は外部に排出するとともに、液化装置を通して液化した前記作動流体となし、同液化された作動流体は、加圧ポンプにより前記作動流体加熱室の熱交換器を通して高圧かつ高温状態の前記過熱液となして、前記フラッシュ空間内に前記インジェクタを通して噴出させることにも特徴を有する。
【手続補正４】
【補正対象書類名】明細書
【補正対象項目名】００１１
【補正方法】変更
【補正の内容】
【００１１】
また、前記発動機本体部は、シリンダ内にピストンを摺動自在に配置し、ピストンにクランクシャフトを連動連結して、ピストンの往復摺動にクランクシャフトの回転動作を連動させたものであり、前記第２の流路に前記シリンダを前記高熱流体の熱を受熱可能に配置するとともに、前記シリンダと同シリンダ内で往復摺動するピストンとを熱交換機能を有する前記伝熱面部とし、前記シリンダと上死点近傍にある前記ピストンで閉塞される前記フラッシュ空間内に前記インジェクタを通して高圧かつ高温状態の前記過熱液を噴出することで前記フラッシュワークと前記ボイリングワークとを生起させて前記ピストンを発動させることにも特徴を有する。
【手続補正５】
【補正対象書類名】明細書
【補正対象項目名】００１２
【補正方法】変更
【補正の内容】
【００１２】
また、前記発動機本体部は、ローターハウジング内にローターを回動自在に配置し、ローターにエキセントリックシャフトを挿通して、ローターの回転運動にエキセントリックシャフトの回転動作を連動させたものであり、前記第２の流路に前記ローターハウジングを前記高熱流体の熱を受熱可能に配置するとともに、前記ローターハウジングと同ローターハウジング内で回転運動するローターとを熱交換機能を有する前記伝熱面部とし、前記ローターハウジングと前記ローターとで閉塞される前記フラッシュ空間内に前記インジェクタを通して高圧かつ高温状態の前記過熱液を噴出することで前記フラッシュワークと前記ボイリングワークとを生起させて前記ローターを発動させることにも特徴を有する。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明によれば、分岐させた高熱流体を流動させる第１の流路及び第２の流路と、前記第１の流路に設けられ、同第１の流路を流動する高熱流体と作動流体との間で熱交換を行って前記作動流体を過熱液とする作動流体加熱室と、前記第２の流路に配設された発動機本体部と、を備え、前記発動機本体部は、前記第２の流路を流動する高熱流体の熱により加熱される伝熱面部に面したフラッシュ空間と、前記第１の流路を流動する高熱流体により前記作動流体加熱室にても低圧である前記フラッシュ空間内において過熱液の一部を蒸気化し膨張させてフラッシュワークを生起し前記発動機本体部を発動させると共に、蒸気化しない液滴状の残部の過熱液を前記伝熱面部に衝突させ熱交換機能により沸騰させボイリングワークにより膨張した蒸気として前記発動機本体部を発動させるインジェクタと、を有することとしたため、熱エネルギーを利用して動力を得ることのできる蒸気機関を提供することができる。
【手続補正９】
【補正対象書類名】明細書
【補正対象項目名】００１６
【補正方法】変更
【補正の内容】
【００１６】
また、前記フラッシュ空間内に発生した湿り飽和蒸気は外部に排出するとともに、液化装置を通して液化した前記作動流体となし、同液化された作動流体は、加圧ポンプにより前記作動流体加熱室の熱交換器を通して高圧かつ高温状態の前記過熱液となして、前記フラッシュ空間内に前記インジェクタを通して噴出させることとしたため、作動流体を循環利用することができる。
【手続補正１０】
【補正対象書類名】明細書
【補正対象項目名】００１７
【補正方法】変更
【補正の内容】
【００１７】
また、前記発動機本体部は、シリンダ内にピストンを摺動自在に配置し、ピストンにクランクシャフトを連動連結して、ピストンの往復摺動にクランクシャフトの回転動作を連動させたものであり、前記第２の流路に前記シリ      ンダを前記高熱流体の熱を受熱可能に配置するとともに、前記シリンダと同シリンダ内で往復摺動するピストンとを熱交換機能を有する前記伝熱面部とし、前記シリンダと上死点近傍にある前記ピストンで閉塞される前記フラッシュ空間内に前記インジェクタを通して高圧かつ高温状態の前記過熱液を噴出することで前記フラッシュワークと前記ボイリングワークとを生起させて前記ピストンを発動させることとしたため、熱エネルギーを利用して動力を得ることのできるピストン型の蒸気機関を提供することができる。
【手続補正１１】
【補正対象書類名】明細書
【補正対象項目名】００１８
【補正方法】変更
【補正の内容】
【００１８】
また、前記発動機本体部は、ローターハウジング内にローターを回動自在に配置し、ローターにエキセントリックシャフトを挿通して、ローターの回転運動にエキセントリックシャフトの回転動作を連動させたものであり、前記第２の流路に前記ローターハウジングを前記高熱流体の熱を受熱可能に配置するとともに、前記ローターハウジングと同ローターハウジング内で回転運動するローターとを熱交換機能を有する前記伝熱面部とし、前記ローターハウジングと前記ローターとで閉塞される前記フラッシュ空間内に前記インジェクタを通して高圧かつ高温状態の前記過熱液を噴出することで前記フラッシュワークと前記ボイリングワークとを生起させて前記ローターを発動させることとしたため、熱エネルギーを利用して動力を得ることのできるバンケル型のロータリー蒸気機関を提供することができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】